(57)【特許請求の範囲】
【請求項１】
遊技機の裏面側に配設されて、入賞球の球止まりが発生する可能性のあるルータ穴と役物の間の隙間箇所に突起物を配置した入賞球誘導部材としてのセット板を有することを特徴とするパチンコ遊技機。
【請求項２】
前記突起物は、つの状の突起物であって、前記入賞球の球止まりが発生する可能性のあるルータ穴と役物の間の隙間箇所の、前記セット板上に植立されていることを特徴とする請求項１に記載のパチンコ遊技機。
【請求項３】
前記突起物は、板状の突起物であって、前記入賞球の球止まりが発生する可能性のあるルータ穴と役物の間の隙間箇所を塞ぐように、前記セット板上から突き出して延設されていることを特徴とする請求項１に記載のパチンコ遊技機。
【請求項４】
前記突起物は前記セット板と一体成形されていることを特徴とする請求項１ないし３のいずれかに記載のパチンコ遊技機。
【発明の詳細な説明】
【０００１】
【発明の属する技術分野】
本発明は、遊技球の球止まり（球噛み）を防止する球止まり防止構造を有するパチンコ遊技機に関する。
【０００２】
【従来の技術】
パチンコ遊技機において、一般に役物は、遊技盤の表面位置から裏面側に突出した部分（以下、役物裏面突出部という）があり、その部分の形状に合わせて盤面に木工フライス盤の一種であるルータにより穴（以下、ルータ穴という）を空け、そのルータ穴に役物裏面突出部を潜らせて、役物をセットしている。
【０００３】
このようなルータ穴の最小径は、加工精度上、及び穴空けキリは強度上から極端に細くできない等の理由で、一定の限界がある。その結果、ルータ穴と役物の隙間をなくそうとしても一定の限界があり、その隙間を極端には狭くできない。また、役物を固定するためのビス止めスペースが必要となる。このような理由から、従来のパチンコ遊技機では、遊技球が止まる、いわゆる球乗りスペースがルータ穴と役物の間の隙間に生じる。
【０００４】
【発明が解決しようとする課題】
従来のパチンコ遊技機では、球止まりはパチンコ遊技機の正常時、異常時にかかわらず発生する。
【０００５】
（１）パチンコ遊技機が正常時にも球止まりが発生するルート
役物の入賞口から入賞した遊技球（以下、入賞球という）が、上記の理由によりできた玉乗りスペースにおいて球止まり（玉噛みともいう）し、異常現象が生じる。
【０００６】
この結果、入賞口に入賞したはずの球が盤面の表側に溢れ出てしまい、入賞にならず、遊技者に不利となる。また、そのままの状態にした場合、本来の遊技球の流れとは違う方向に遊技球が流れ、大入賞口に球が入りやすくなり、不正行為につながる不都合等もある。
【０００７】
（２）パチンコ遊技機が異常時に球止まりが発生するルート
パチンコ遊技機の異常により入賞球が払い出されなくなった場合、遊技盤の裏面に入賞球が溜り、本来正常時には入賞球が入り込まないスペースにも入賞球が入ってしまう不都合が生じる。
【０００８】
この結果、パチンコ遊技機基板部に入賞球が入り込んだ場合は基板がショートしたり、アタッカーのソレノイド部に入賞球が入り込んだ場合はソレノイドのショートや、大入賞口の動作不良を引き起こすなどを生じる。大入賞口の開閉異常は盤の表面に球があふれる不具合が生ずる。
【０００９】
また、各部の異常に至らない場合でも、入賞したはずの球が払い出されないという、遊技者に不利な現象が発生する。
【００１０】
本発明は、上記のような課題を解決するためになされたもので、その目的は、パチンコ遊技機の正常時、異常時に発生する球止まり（球噛み）の防止を図った球止まり防止構造を有するパチンコ遊技機を提供することにある。
【００１１】
【課題を解決するための手段】
上記目的を達成するため、請求項１のパチンコ遊技機の発明は、遊技機の裏面側に配設されて、入賞球の球止まりが発生する可能性のあるルータ穴と役物の間の隙間箇所に突起物を配置した入賞球誘導部材としてのセット板を有することを特徴とする。
【００１２】
ここで、前記突起物は、つの状の突起物であって、前記入賞球の球止まりが発生する可能性のあるルータ穴と役物の間の隙間箇所の、前記セット板上に植立されていることを特徴とすることができる。
【００１３】
また、前記突起物は、板状の突起物であって、前記入賞球の球止まりが発生する可能性のあるルータ穴と役物の間の隙間箇所を塞ぐように、前記セット板上から突き出して延設されていることを特徴とすることができる。
【００１４】
さらに、前記突起物は前記セット板と一体成形されていることを特徴とすることができる。
【００１５】
【発明の実施の形態】
以下、図面を参照して本発明の一実施形態を詳細に説明する。
【００１６】
（全体の構成）
図１は、パチンコ遊技機の遊技盤の正面全体の概観の一例を示す。遊技機の機械構造はたとえば、特開平１１−３１９２５２号公報に示されるような従来例と同様とすることができるので、説明は本発明に関わる構成部とその補足部位のみに留める。
【００１７】
図１において、本実施形態の遊技機は、遊技機の役物等を盤面に据え付ける遊技盤１０１、特別図柄表示装置１０２、始動入賞口１０３、普通図柄表示装置作動ゲート（左）１０４、普通図柄表示装置作動ゲート（右）１０５、普通図柄表示装置１０６、普通電動役物１０７、可変入賞球装置１０８を含む。
【００１８】
特別図柄表示装置１０２は、可変表示装置（図示しない）を有し、複数の数字や図形等の特別図柄（以下、単に図柄とする）を変動表示する。
【００１９】
始動入賞口１０３は、遊技者により打ち出された球が入賞すると、内部の特別図柄始動スイッチ（図示しない）のトリガ発生により入賞検知し、特別図柄表示装置１０２の図柄変動の契機を与える。
【００２０】
普通図柄表示装置作動ゲート（左）１０４および普通図柄表示装置作動ゲート（右）１０５は、遊技者により打ち出された球が通過すると、内部の普通図柄作動スイッチ（図示しない）のトリガ発生により、普通図柄表示装置１０６の普通図柄の変動契機を与える。
【００２１】
普通図柄表示装置１０６は、７セグメントＬＥＤ等の表示する普通図柄を変動表示する。
【００２２】
普通電動役物１０７は、普通図柄表示装置１０６が特定の普通図柄を停止表示した場合に開放し、始動入賞口１０３への入賞をアシストする。
【００２３】
可変入賞球装置１０８は、特別図柄表示装置１０２の停止図柄が予め定めた特定の図柄の組み合わせとなった場合、すなわち、特賞（大当たり）になった時に、可変入賞球装置１０８前面の大入賞口の開放動作を行う。
【００２４】
１１７はチャッカー、１１８はアタッカーである。
【００２５】
図２は、図１のパチンコ遊技機の遊技盤の裏面全体の概観を示す。ここで、２０１はセット板（入賞球誘導部材）、２０２はルータ穴、２０４はベニヤ板である。
【００２６】
図３は図１の遊技盤から左のチャッカー１１７とアタッカー１１８を取り外した状態を示す。左のチャッカー１１７を取り外した後のルータ穴２０２を通して見えるセット板２０１上の３０９は、つの状の突起物である。このつの状の突起物３０９は、後述するように、近接スイッチ３０３の近傍等の入賞球が球止まり（玉噛み）する可能性のある場所を塞ぐように、一体成形によりセット板２０１上に遊技盤に対してほぼ直角方向に植立されている。
【００２７】
また、アタッカー１１８を取り外した後のルータ穴２０２を通して見える３１０は、板状の突起物である。この板状の突起物３１０は、後述するように、入賞球の入り込みの可能性のある場所（隙間）を塞ぐように、遊技盤とほぼ同一方向にセット板２０１から突き出して延設されている。
【００２８】
図４は図２のパチンコ遊技機の遊技盤の裏面からケースやカバー等を取り外した後のセット板設置位置を示す。ここでは、セット板２０１、ルータ穴２０２、ベニヤ板２０４、近接スイッチ３０３、セット板のつの状の突起物３０９、およびセット板の板状の突起物３１０とが図示されている。４０１は入賞球である。
【００２９】
図５は更にパチンコ遊技機の遊技盤の裏面から見たセット板を示す。全体の輪郭はセット板２０１の輪郭であり、このセット板２０１に上記のつの状の突起物３０９、および板状の突起物３１０が一体成形されている。また、セット板２０１には入賞球を導くための入賞球誘導路が一体成形されており、入賞球誘導路に入賞球を検知する近接スイッチ３０３が取り付けられている。
【００３０】
図６はルータ加工を行ったベニヤ板２０４の裏面を示す。本図に示すように、ベニヤ板２０４には役物を取り付けるためのルータ穴２０２が複数個開けられている。
【００３１】
（正常ルートの球止まり防止構造）
以上、全体の構成について説明したが、次に、図７〜図９を参照して、パチンコ遊技機が正常時にも球止まりが発生するルート（以下、正常ルートという）の球止まり（玉噛み）を防止する構造とその作用を詳細に説明する。
【００３２】
図７は図３のチャッカー（左）１１７を取り外した部分の詳細図である。ここで、７０５はベニヤ板の表面である。ベニヤ板の表面７０５に開口したルータ穴２０２に着脱自在にチャッカー１１７がはめ込まれる。このはめ込み状態において、ルータ穴２０２と役物であるチャッカー１１７との間に、加工上の理由等から隙間が生じ、この隙間のためにパチンコ遊技機が正常時であっても球止まりが発生するおそれがある。
【００３３】
そこで、近接スイッチ３０３の近傍等、入賞球が球止まり（玉噛み）する可能性のあるの場所（球止まり箇所、球乗りスペースともいう）を塞ぐように、つの状の突起物３０９をセット板２０１に植立している。つの状の突起物３０９は図７では球止まり位置に１個づつ設けているが、必要に応じて２個づつ設けても勿論かまわない。
【００３４】
図８の（Ａ）は、上記チャッカー１１７とセット板のつの状の突起物３０９の位置関係をベニヤ板の裏面８０６から示す。ここで、破線部分はベニヤ板の表面に被さるチャッカー１１７の部分を表わし、ルータ穴２０２を貫通してベニヤ板の裏面８０６から飛び出しているチャッカー１１７の部分は実線で表わされている。
【００３５】
図８の（Ｂ）は、上記のつの状の突起物３０９が設けられていない従来のパチンコ遊技機の構造において生ずる球止まり（球噛み）状態をベニヤ板の裏面８０６から示す。ここで、８１１は球噛みした遊技球である。従来の技術の欄で説明した通り、ルータ穴２０２とチャッカー１１７との隙間に遊技球が乗るスペース（球乗りスペース）ができてしまう箇所がある。入賞球が不規則にチャッカー１１７の入賞球通路で弾んだ場合、図８の（Ｂ）に示すように、その球乗りスペース箇所に入賞球が乗り、球噛みする状態が発生する。
【００３６】
これに対し、本発明に係る図８の（Ａ）の構造では、その球乗りスペース箇所につの状の突起物３０９を植立しているので、球乗りスペース箇所に入賞球が乗ることが阻止され、球噛みが発生しない。
【００３７】
図９の（Ａ）〜（Ｃ）はつの状の突起物３０９を説明する図である。図９の（Ａ）はセット板のつの状の突起物３０９の外観を示す斜視図であり、図９の（Ｂ）はチャッカー１１７を取り付けた状態での図７のＢ矢視の上面図であり、図９の（Ｃ）はチャッカー１１７を取り付けた状態での図７のＡ−Ａ線に沿う断面図である。
【００３８】
図９の（Ｃ）等に示すように、つの状の突起物３０９をセット板２０１と一体成形してセット板２０１上に植立しているので、入賞球が球乗りスペースに入り込むことは無くなる。
【００３９】
（異常ルートの球止まり防止構造）
次に、図１０〜図１２を参照して、パチンコ遊技機が異常時に球止まりが発生するルート（以下、異常ルートという）の球止まり（玉噛み）を防止する構造とその作用を詳細に説明する。
【００４０】
図１０は、図４の遊技盤裏面図にアタッカー部品を組み込んだ状態を示す詳細図である。図１１の（Ａ）は図１０のアタッカー部品の近傍を拡大した詳細図である。また、図１２はセット板の板状の突起物３１０の形状を示す斜視図である。これら図に示すように、板状の突起物３１０は、入賞球の入り込みの可能性のある場所（隙間）を塞ぐように、遊技盤とほぼ同一方向にセット板２０１から突き出して延設されている。この板状の突起物３１０も前述のつの状の突起物３０９と同様に、セット板２０１と一体成形されたものである。ここで、１０１２はアタッカー１１８のソレノイドである。
【００４１】
図１１の（Ｂ）は上記のような板状の突起物３１０が設けられていない従来のパチンコ遊技機の構造において生ずる球止まり（球噛み）状態を遊技盤の裏面から示す。ここで、８１１は球噛みした遊技球である。従来の技術の欄で説明した通り、パチンコ遊技機の異常により入賞球が払い出されなくなった場合、遊技盤の裏面に入賞球が溜り、本来正常時には入賞球が入り込まない、例えばアタッカー１１８のソレノイド１０１２とルータ穴２０２との間隙にも入賞球が入ってしまう不都合が生じる。アタッカー１１８のソレノイド１０１２に入賞球８１１が入り込んだ場合は、ソレノイド１０１２のショートや、大入賞口の動作不良を引き起こすなどの不具合を生じる。
【００４２】
これに対し、本発明に係る図１１の（Ａ）の構造では、アタッカー１１８のソレノイド１０１２とルータ穴２０２との間隙の入賞球が入り込みの可能性のある場所を塞ぐように、板状の突起物３１０がセット板２０１に突設されているので、入賞球がソレノイド１０１２とルータ穴２０２との間隙に入り込むことは無くなる。
【００４３】
（他の実施形態）
上述の本発明の一実施形態では、球止まりの発生する箇所として、チャッカー部分とアタッカー部分を例示したが、本発明はこれに限らず、球止まりの発生する可能性のある他の各種役物、スイッチ、電子部品、電子回路基板等の部分にも勿論同様に適用できる。
【００４４】
また、上述の本発明の一実施形態では、球止まり防止用の突起物をセット板と一体成形した場合を例示したが、本発明はこれに限らず、接着剤や固定部材等で突起物をセット板に固定した場合にも適用できる。
【００４５】
また、上述の本発明の一実施形態で説明したのつの状の突起物、および板状の突起物の形状も必ずしも図示したものに限定されない。例えば、円錐形のようなつの状突起物、扇状や円盤状、あるいは多角形の板状突起物であってもよい。
【００４６】
【発明の効果】
以上説明したように、本発明によれば、遊技機の裏面側に配設されて、入賞球の球止まりが発生する可能性のあるルータ穴と役物の間の隙間箇所に突起物を配置した入賞球誘導部材としてのセット板を有するので、パチンコ遊技機の球止まり（球噛み）を解消することができる。
【００４７】
即ち、本発明では、入賞球が入り込む可能性のある場所の、セット板上に、つの状の突起物を植立することで、そのつの状の突起物が入賞球の球止まり（球噛み）を防止するので、入賞口に入賞したはずの球が盤面の表側に溢れ出てしまい、入賞にならず、遊技者に不利となったり、そのままの状態にした場合、本来の遊技球の流れとは違う方向に遊技球が流れ、大入賞口に球が入りやすくなり、不正行為が行われる不具合を解決することができる。
【００４８】
また、本発明では、入賞球が入り込む可能性のある場所を塞ぐように、板状の突起物をセット板から突き出して延設することで、その板状の突起物が入賞球の球止まり（球噛み）を防止するので、パチンコ遊技機基板部に入賞球が入り込んだ場合は基板がショートしたり、アタッカーのソレノイド部に入賞球が入り込んだ場合はソレノイドのショートや、大入賞口の動作不良を引き起こすなどの不具合を解決したり、各部の異常に至らない場合でも、入賞したはずの球が払い出されないという、遊技者に不利な現象を解決することができる。
【００４９】
さらに、本発明では、上記突起物をセット板と一体成形することで、量産性に優れている利点を有する。
【図面の簡単な説明】
【図１】本発明の一実施形態におけるパチンコ遊技機の遊技盤の正面全体の概観の一例を示す正面図である。
【図２】図１のパチンコ遊技機の遊技盤の裏面全体の概観を示す裏面図である。
【図３】図１の遊技盤から左のチャッカーとアタッカーを取り外した状態を示す正面図である。
【図４】図２のパチンコ遊技機の遊技盤の裏面からケースやカバー等を取り外した後のセット板設置位置を示す裏面図である。
【図５】本発明の一実施形態におけるパチンコ遊技機の遊技盤の裏面から見たセット板を示す裏面図である。
【図６】本発明の一実施形態におけるルータ加工を行ったベニヤ板の裏面を示す裏面図である。
【図７】図３のチャッカー（左）を取り外した部分の詳細図である。
【図８】（Ａ）は本発明の一実施形態におけるチャッカーとセット板のつの状の突起物の位置関係をベニヤ板の裏面から示す裏面図であり、（Ｂ）はそのつの状の突起物が設けられていない従来のパチンコ遊技機の構造において生ずる球止まり（球噛み）状態をベニヤ板の裏面から示す裏面図である。
【図９】（Ａ）は本発明の一実施形態におけるセット板のつの状の突起物の外観を示す斜視図であり、（Ｂ）はチャッカーを取り付けた状態での図７のＢ矢視の上面図であり、（Ｃ）はチャッカーを取り付けた状態での図７のＡ−Ａ線に沿う断面図である。
【図１０】図４の遊技盤裏面図にアタッカー部品を組み込んだ状態を示す詳細図である。
【図１１】（Ａ）は図１０のアタッカー部品の近傍を拡大した詳細図であり、（Ｂ）は板状の突起物が設けられていない従来のパチンコ遊技機の構造において生ずる球止まり（球噛み）状態を遊技盤の裏面から示す詳細図である。
【図１２】図１０のセット板の板状の突起物の形状を示す斜視図である。
【符号の説明】
１０１  遊技盤
１０２  特別図柄表示装置
１０３  始動入賞口
１０４  普通図柄表示装置作動ゲート（左）
１０５  普通図柄表示装置作動ゲート（右）
１０６  普通図柄表示装置
１０７  普通電動役物
１０８  可変入賞球装置
１１７  チャッカー
１１８  アタッカー
２０１  セット板
２０２  ルータ穴
２０４  ベニヤ板
３０３  近接スイッチ
３０９  セット板のつの状の突起物
３１０  セット板の板状の突起物
４０１  入賞球（遊技球）
７０５  ベニヤ表面
８０６  ベニヤ裏面
８１１  球噛みした遊技球
１０１２  アタッカーのソレノイド
【図１】
0003571996.tif 000002
【図２】
0003571996.tif 000003
【図３】
0003571996.tif 000004
【図４】
0003571996.tif 000005
【図５】
0003571996.tif 000006
【図６】
0003571996.tif 000007
【図７】
0003571996.tif 000008
【図８】
0003571996.tif 000009
【図９】
0003571996.tif 000010
【図１０】
0003571996.tif 000011
【図１１】
0003571996.tif 000012
【図１２】
0003571996.tif 000013